(57)【要約】【課題】清掃が容易で、表面に白い粉を生じず衛生的で、使用可能期間を長くでき、かつ培養液に光が当たるのを妨げて藻を生じ難くでき、さらには一度に複数を移動させ易い水耕栽培用パネルの提供を目的とする。【解決手段】上側シート２１と下側シート３１が周縁で接着シールされて該接着シールされたフランジ部１２を周縁に有し、前記フランジ部１２で包囲された部分には前記下側シート３１が下方へ屈曲して内側が窪んで下方へ突出した凹部３３を有し、前記凹部３３で上側シート２１と下側シート３１間が中空となった平面視四角形の貼り合わせ体からなり、周縁のフランジ部１２で包囲される中空部分には植え付け孔部１３が上下に貫通する筒状で複数形成された構成とした。【選択図】図４
2016010324.tif 000002
【特許請求の範囲】
【請求項１】
培養液槽内の培養液上に一列状に複数浮かべられる水耕栽培用パネルにおいて、
前記水耕栽培用パネルは、プラスチックシートからなる上側シートと下側シートが周縁で接着シールされ、該接着シールされたフランジ部を周縁に有し、前記フランジ部で包囲された部分は前記下側シートが下方へ屈曲して内側が窪んだ凹部を下方へ突出して有し、前記凹部で前記上側シートと下側シート間が中空となった平面視四角形の貼り合わせ体からなり、
前記上側シートは、前記フランジ部で包囲される部分に複数の植え付け孔が設けられ、
前記下側シートは、前記フランジ部で包囲される部分が下方へ屈曲して前記凹部が形成され、前記凹部の底面には前記上側シートの植え付け孔と対向する位置に上下両端を開口させた筒状部が上向きに形成され、該筒状部の上端周縁と前記上側シートの植え付け孔の周縁が接着シールされて前記凹部で前記上側シートと前記下側シート間が中空とされ、
前記水耕栽培用パネルの幅が前記培養液槽の幅方向両側の側壁内面間の距離より大とされると共に、前記凹部の幅が前記培養液槽の幅方向両側の側壁内面間の距離より小とされ、
前記水耕栽培用パネルの長さ方向両端の前記フランジ部には、他の水耕栽培用パネルのフランジ部と重なって係合する連結部が設けられていることを特徴とする水耕栽培用パネル。
【請求項２】
前記連結部は連結用孔と連結用突部とからなり、前記連結用孔には他の水耕栽培用パネルの連結用突部が挿入される一方、前記連結用突部には他の水耕栽培用パネルの連結用孔に挿入されることを特徴とする請求項１に記載の水耕栽培用パネル。
【請求項３】
前記凹部の幅と該凹部の幅方向の何れか一側の前記フランジ部の幅との和が、前記培養液槽の幅方向両側の側壁内面間の距離より大であることを特徴とする請求項１または２に記載の水耕栽培用パネル。
【発明の詳細な説明】
【技術分野】
【０００１】
本発明は、培養液槽内の培養液上に一列状に複数浮かべられる水耕栽培用パネルに関する。
【背景技術】
【０００２】
培養液槽内の培養液上に、植物が植えられた水耕栽培用パネルを浮かべて植物を栽培する水耕栽培が行われている。
従来では、前記水耕栽培用パネルとして、植え付け孔が複数形成された発泡スチロール板が用いられている。
【０００３】
しかし、発泡スチロール板は、成形時に生じた凹凸を表面に有するため、水耕栽培用パネルとして使用した際に、表面に汚れが付着し易い。また表面に付着した汚れの清掃に手間が掛かり、しかも表面に汚れが残り易く、清掃作業上及び衛生上の問題がある。
さらに、発泡スチロール板は、紫外線等により表面が劣化して白い粉を生じるため、水耕栽培用パネルとして使用した場合、初めのうちはよいが、しばらくすると植物の出荷や清掃等の際に発泡スチロール板の表面に接触すると白い粉が作業者や植物に付着したりするようになり、衛生上の点から発泡スチロール板の長期使用が難しかった。
【０００４】
また、従来の発泡スチロール板からなる水耕栽培用パネルは、水耕栽培用パネルを培養液槽の培養液から取り出す際や水耕栽培用パネルを培養液上に並べるなどの際に培養液槽内を移動可能なように、水耕栽培用パネルの幅が、培養液槽の幅方向両側の側壁間距離よりも小さくされている。そのため、水耕栽培用パネルと培養液槽の幅方向両側の側壁間に隙間を生じ、前記隙間から培養液に入射する光によって培養液に藻が発生し易く、清掃に手間がかかる問題がある。また、一列に並べられた水耕栽培用パネル間にも隙間を生じ易く、その隙間から培養液に入射する光によっても培養液に藻が発生し易かった。
【０００５】
さらに、従来の発泡スチロール板からなる水耕栽培用パネルは、培養液に複数浮かべた状態で培養液槽内を移動させる場合、一端の水耕栽培用パネルから順番に引っ張って移動させる必要があり、移動作業に手間が掛かっていた。また、一端の水耕栽培用パネルに力を加えて複数の水耕栽培用パネルをまとめて押し動かそうとすると、途中で水耕栽培用パネルの端が乗り上がったり下へ潜り込んだりして動かなくなり、却って手間が掛かることがある。
【先行技術文献】
【特許文献】
【０００６】
【特許文献１】特開２００７−２１５４８５号公報
【特許文献２】特開２００９−１７１９４４号公報
【発明の概要】
【発明が解決しようとする課題】
【０００７】
本発明は前記の点に鑑みなされたものであって、清掃が容易で、表面に白い粉を生じず衛生的で、使用可能期間を長くでき、かつ培養液に光が当たるのを妨いで藻を生じ難くでき、さらには一度に複数を移動させ易い水耕栽培用パネルの提供を目的とする。
【課題を解決するための手段】
【０００８】
請求項１の発明は、培養液槽内の培養液上に一列状に複数浮かべられる水耕栽培用パネルにおいて、前記水耕栽培用パネルは、プラスチックシートからなる上側シートと下側シートが周縁で接着シールされ、該接着シールされたフランジ部を周縁に有し、前記フランジ部で包囲された部分は前記下側シートが下方へ屈曲して内側が窪んだ凹部を下方へ突出して有し、前記凹部で前記上側シートと下側シート間が中空となった平面視四角形の貼り合わせ体からなり、前記上側シートは、前記フランジ部で包囲される部分に複数の植え付け孔が設けられ、前記下側シートは、前記フランジ部で包囲される部分が下方へ屈曲して前記凹部が形成され、前記凹部の底面には前記上側シートの植え付け孔と対向する位置に上下両端を開口させた筒状部が上向きに形成され、該筒状部の上端周縁と前記上側シートの植え付け孔の周縁が接着シールされて前記凹部で前記上側シートと前記下側シート間が中空とされ、前記水耕栽培用パネルの幅が前記培養液槽の幅方向両側の側壁内面間の距離より大とされると共に、前記凹部の幅が前記培養液槽の幅方向両側の側壁内面間の距離より小とされ、前記水耕栽培用パネルの長さ方向両端の前記フランジ部には、他の水耕栽培用パネルのフランジ部と重なって係合する連結部が設けられていることを特徴とする。
【０００９】
請求項２の発明は、請求項１において、前記連結部は連結用孔と連結用突部とからなり、前記連結用孔には他の水耕栽培用パネルの連結用突部が挿入され、前記連結用突部は他の水耕栽培用パネルの連結用孔に挿入されることを特徴とする。
【００１０】
請求項３の発明は、請求項１または２において、前記凹部の幅と該凹部の幅方向の何れか一側の前記フランジ部の幅との和が、前記培養液槽の幅方向両側の側壁内面間の距離より大であることを特徴とする。
【発明の効果】
【００１１】
請求項１の発明によれば、水耕栽培用パネルがプラスチックシートからなる上側シートと下側シートの貼り合わせ体で構成されているため、発泡スチロール板と較べて表面の清掃が容易であり、かつ表面に白い粉を生じず衛生的であり、使用可能期間を長くできる。
【００１２】
また、請求項１の発明によれば、水耕栽培用パネルの幅が培養液槽の幅方向両側の側壁内面間の距離より大とされると共に、前記凹部の幅が培養液槽の幅方向両側の側壁内面間の距離より小とされているため、水耕栽培用パネルを培養液槽の培養液に浮かべた際に、水耕栽培用パネルの幅方向両側のフランジ部が培養液槽の幅方向両側の側壁上端に重なり、水耕栽培用パネルの幅方向両端と培養液槽の幅方向両側の側壁内面間に隙間が生じるのを防ぐことができる。その結果、水耕栽培用パネルと培養液槽の幅方向両側の側壁内面間の隙間を通って入射する外光によって培養液に藻が発生するのを抑えることができる。
【００１３】
さらに、請求項１の発明によれば、水耕栽培用パネルの長さ方向両端のフランジ部には、他の水耕栽培用パネルのフランジ部と重なって係合する連結部が設けられているため、培養液上に並べられた複数の水耕栽培用パネル間に隙間を生じるのを防ぐことができ、水耕栽培用パネル間の隙間を通って入射する外光によって培養液に藻が発生するのを抑えることができる。また、前記連結部で水耕栽培用パネルが連結されるため、培養液上に並べられた複数の水耕栽培用パネルを移動させる際には、一端の水耕栽培用パネルを引っ張る、あるいは押すことによって、連結されている複数の水耕栽培用パネルを同時に移動させることができ、水耕栽培の作業効率化を実現することができる。
【００１４】
請求項２の発明によれば、他の水耕栽培用パネルとの連結部が連結用孔と連結用突部とからなるため、連結及び連結解除が容易であり、しかも連結部の成形が容易である。
【００１５】
請求項３の発明によれば、凹部の幅と該凹部の幅方向の何れか一側のフランジ部の幅との和が、培養液槽の幅方向両側の側壁内面間の距離より大であるため、水耕栽培用パネルの位置が培養液槽の幅方向の一方の側に偏った場合でも、水耕栽培用パネルの両側のフランジ部が培養液槽の幅方向両側の側壁上端に重なり、水耕栽培用パネルと培養液槽の幅方向両側の側壁内面間に隙間を生じるのを防ぐことができ、培養液に藻が発生するのを抑えることができる。
【図面の簡単な説明】
【００１６】
【図１】本発明の一実施形態に係る水耕栽培用パネルを上側から見た斜視図である。
【図２】図１の水耕栽培用パネルを下側から見た斜視図である。
【図３】図１の３Ａ−３Ａ断面図、３Ｃ部拡大図、３Ｂ−３Ｂ断面図である。
【図４】図１の水耕栽培用パネルの分解斜視図及び一部の拡大図である。
【図５】図１の水耕栽培用パネルの使用時を示す斜視図である。
【図６】図１の水耕栽培用パネルと培養液槽の寸法関係を示す図である。
【発明を実施するための形態】
【００１７】
本発明の一実施形態に係る水耕栽培用パネルについて説明する。図１から図３に示す本発明の実施形態に係る水耕栽培用パネル１０は、図５に示すように、培養液槽５１の培養液６１上に、培養液槽５１の長さ方向に沿って一列状に複数浮かべられて水耕栽培に使用されるものである。図５におけるＷは前記培養液槽５１の幅方向（短手方向）を示し、Ｌは前記培養液槽５１の長さ方向（長手方向）を示す。なお、前記培養液槽５１は、幅方向Ｗ両側の側壁５３、５４と底面５５とによって断面形状が凹形状となっている。
【００１８】
前記水耕栽培用パネル１０は、図４に示す上側シート２１と下側シート３１が、図１から図３に示すように、両シートの周縁で接着シールされて形成されたフランジ部１２を周縁に有し、前記フランジ部１２で包囲された部分では下側シート３１が下方へ屈曲して内側が窪んで下方へ突出した凹部３３を有し、前記凹部３３で前記上側シート２１と下側シート３１間が中空となった平面視四角形の貼り合わせ体からなる。前記平面視四角形は、図示の例のように平面視長方形が好ましい。なお、前記水耕栽培用パネル１０を前記培養液槽５１内の培養液６１に浮かべる際に、前記培養液槽５１の幅方向Ｗと平行にされる方向が前記水耕栽培用パネル１０の幅方向Ｗ１であり、また前記培養液槽５１の長さ方向Ｌと平行にされる方向が前記水耕栽培用パネル１０の長さ方向Ｌ１である。
【００１９】
前記周縁のフランジ部１２で包囲される中空部分には、植え付け孔部１３が上下に貫通する筒状とされて所定間隔で複数形成されている。前記植え付け孔部１３は、植物の植え付けに使用される。
【００２０】
また、前記水耕栽培用パネル１０における周縁のフランジ部１２には、長さ方向Ｌ１の両側のフランジ部１２１、１２２に、他の水耕栽培用パネルとの連結部１５１、１５２が形成されている。一方のフランジ部１２１に形成された連結部１５１は前記フランジ部１２１を上下に貫通した連結用孔で構成され、所定間隔で３個形成されている。他方のフランジ部１２２に形成された連結部１５２は前記フランジ部１２２の下面に形成された連結用突部で構成され、前記連結用孔からなる連結部１５１とは対称の位置（反対の位置）に下向きに形成されている。前記連結用孔と連結用突部は、他の水耕栽培用パネルの連結用突部と連結用孔が嵌まる大きさに形成されている。
【００２１】
図６に示すように、前記水耕栽培用パネル１０の幅（幅方向Ｗ１の寸法）ａは、前記培養液槽５１の幅方向Ｗ両側の側壁５３、５４の内面間の距離Ａより大［ａ＞Ａ］とされると共に、前記凹部３３の幅ｂ（幅方向Ｗ１の寸法）が前記培養液槽５１の幅方向両側の側壁５３、５４の内面間の距離Ａより小［Ａ＞ｂ］とされている。これにより、前記水耕栽培用パネル１０を培養液槽５１の培養液６１に浮かべた際に、前記水耕栽培用パネル１０の幅方向両側のフランジ部１２３、１２４が前記培養液槽５１の幅方向両側の側壁５３、５４の上端に重なり、前記水耕栽培用パネル１０の幅方向両端と前記培養液槽５１の幅方向両側の側壁５３、５４の内面間に隙間が生じるのを防ぐことができ、前記隙間を通って入射する外光によって前記培養液６１に藻が発生するのを抑えることができる。
【００２２】
さらに、図６に示すように、前記凹部３３の幅ｂ（幅方向Ｗ１の寸法）と該凹部３３の幅方向Ｗ１の何れか一側の前記フランジ部１２３（または１２４）の幅ｂ１との和［ｂ＋ｂ１］が、前記培養液槽５１の幅方向両側の前記側壁５３、５４の内面間の距離Ａより大［（ｂ＋ｂ１）＞Ａ］であるのが好ましい。なお、前記両側のフランジ部１２３、１２４の幅ｂ１は等しくされている。このように構成することにより、前記水耕栽培用パネル１０の位置が前記培養液槽５１の幅方向Ｗの一方の側に偏った場合でも、前記水耕栽培用パネル１０の幅方向両側のフランジ部１２３、１２４が前記培養液槽５１の幅方向両側の側壁５３、５４の上端に重なり、前記水耕栽培用パネル１０と前記培養液槽５１の幅方向両側の側壁５３、５４内面間に隙間を生じるのを防ぐことができ、前記培養液６１に藻が発生するのを抑えることができる。
【００２３】
前記水耕栽培用パネル１０を構成する上側シート２１と下側シート３１は、プラスチックシートから形成されたものである。前記プラスチックシートしては、真空成形可能な材質であれば限定されないが、特にポリプロピレンシートが好ましい。また、前記プラスチックシートは、長期使用による劣化を抑えるための紫外線吸収剤と、細菌の増殖を抑えるための抗菌剤を含むものが好ましい。プラスチックシートの厚みは、例として２〜４ｍｍ程度を挙げる。
【００２４】
前記上側シート２１の色は、白色が好ましい。前記上側シート２１を白色とすることにより、水耕栽培用パネルの上面側で反射光を増大させ、該増大した反射光が植物に当たることによって植物の成長性を高めることができる。
【００２５】
図４に示すように前記上側シート２１は、平面視長方形の平板状からなり、周縁には、前記下側シート３１との貼り合わせによってフランジ部１２となる貼り合わせ用部分２２が形成されている。前記周縁の貼り合わせ用部分２２すなわち前記フランジ部１２で包囲される内側部分には植え付け孔２３が複数形成されている。前記植え付け孔２３は、前記水耕栽培用パネル１０における植え付け孔部１３の上端開口部となる。前記植え付け孔２３のサイズ及び間隔、すなわち前記水耕栽培用パネル１０における植え付け孔部１３のサイズ及び間隔は、植え付ける植物の種類によって異なる。
【００２６】
前記上側シート２１の長さ方向Ｌ１の一端の貼り合わせ用部分２２には、前記水耕栽培用パネル１０における前記連結部１５１の連結用孔を構成する上側シート側連結用孔２５１が、所定間隔で３個形成されている。
【００２７】
前記下側シート３１の色は、黒色が好ましい。前記下側シート３１を黒色とすることにより、外光が水耕栽培用パネルを透過して培養液に当たるのを抑え、根の成長すなわち植物の生長性を高めることができると共に、培養液に藻が発生するのを抑えることができる。
【００２８】
図４に示すように、前記下側シート３１は、平面視長方形からなり、周縁には前記水耕栽培用パネル１０における周縁のフランジ部１２の下側を構成する下側シート側フランジ部３２が形成されている。前記下側シート側フランジ部３２は、前記上側シート２１の周縁の貼り合わせ用部分２２と貼り合わされて前記水耕栽培用パネル１０における周縁のフランジ部１２を構成する。
【００２９】
前記下側シート３１における前記下側フランジ部３２で包囲される部分すなわち前記水耕栽培用パネル１０における周縁のフランジ部１２で包囲さる部分は、下方へ屈曲して内側が窪んだ前記凹部３３として下方へ突出形成されている。前記凹部３３の深さは適宜決定され、例として２０〜５０ｍｍ程度を挙げる。
【００３０】
前記凹部３３の底面３４には前記上側シート２１の植え付け孔２３と対向する位置に上下両端を開口させた筒状部３５が上向きに複数形成されている。前記筒状部３５は、胴部の内径が前記上側シート２１の植え付け孔２３の内径よりも所定量大、例えば１ｍｍ〜１０ｍｍ程度大にされ、上端位置は前記上側シート２１の下面に接触する高さとされる。また、前記筒状部３５の上端は、該筒状部３５の内方へ屈曲した環状部３５１を有する。前記環状部３５１は、前記上側シート２１の前記植え付け孔２３の周縁下面に接着シールされる部分である。前記上側シート２１の前記植え付け孔２３と前記下側シートの筒状部３５とによって、前記水耕栽培用パネル１０における前記植え付け孔部１３が形成される。
【００３１】
前記下側シート３１の長さ方向Ｌ１の一側の下側フランジ部３２１には、前記上側シート２１の上側シート側連結用孔２５１と対向する位置に下側シート側連結用孔３６１が形成されている。前記上側シート側連結用孔２５１と前記下側シート側連結用孔３６１は、前記上側シート２１と前記下側シート３１の貼り合わせによって一体化し、前記水耕栽培用パネル１０の連結用孔からなる連結部１５１を形成する。
【００３２】
また、前記下側シート３１の長さ方向Ｌ１の他側の下側フランジ部３２２には、前記下側シート側連結用孔３６１とは対称位置（反対の位置）に、下向きに突出した連結用突部からなる前記連結部１５２が形成されている。前記連結用突部（連結部１５２）は、下方へ屈曲した中空のピン状に形成されている。前記連結用突部（連結部１５２）の大きさは、前記水耕栽培用パネル１０の連結用孔からなる連結部１５１に嵌まる大きさからなる。
なお、前記連結用孔と連結用突部の形状は、円形の孔と円形のピンに限られず、例えば四角形の孔に四角形の突部等であってもよい。
【００３３】
前記上側シート２１はプラスチックシートを所要形状に打ち抜いて形成することができ、一方、前記下側シート３１は、プラスチックシートを真空成形によって所要形状に賦形した後、不要部を打ち抜き除去することにより形成することができる。
【００３４】
また、前記上側シート２１と前記下側シート３１を、前記上側シート側連結用孔２５１と前記下側シート側連結用孔３６１の位置を合わせて前記周縁部で接着シールすると共に、前記上側シート２１における植え付け孔２３の周縁と前記下側シート３１における筒状部３５の上端環状部３５１を接着シールすることにより、前記水耕栽培用パネル１０を形成することができる。
【００３５】
なお、前記上側シート側連結用孔２５１と前記下側シート側連結用孔３６１は、前記連結用孔の形成されていない上側シートと下側シートを周縁部で貼り合わせた後に同時に打ち抜き形成してもよい。
【００３６】
図５に示すように、水耕栽培時、複数の前記水耕栽培用パネル１０は、前記植え付け孔部１３に植物Ｐを植え付けた状態で、前記培養液槽５１の培養液６１上に順に、長さ方向Ｌに沿って一列に所定数浮かべられる。その際、隣り合う前記水耕栽培用パネル１０同士は、前記連結部１５１、１５２で互いに連結される。
【００３７】
前記水耕栽培用パネル１０は、前記凹部３３で中空となっているために前記培養液６１に浮かび、幅方向両側のフランジ部１２３、１２４が前記培養液槽５１の幅方向両側の側壁５３、５４の上端に重なる。さらに、隣り合う前記水耕栽培前用パネル１０同士は、一方の水耕栽培用パネルの連結部１５１が形成されているフランジ部と、他方の水耕栽培用パネルの連結部１５２が形成されているフランジ部が重なった状態となる。そのため、前記水耕栽培用パネル１０は、前記培養液槽５１の側壁５３、５４との間、及び隣り合う前記水耕栽培用パネルとの間において、前記培養液槽５１の培養液６１が前記水耕栽培用パネル１０で覆われた状態になり、外光の入射が防がれて藻の発生が抑えられる。
【００３８】
前記培養液６１に浮かんだ複数の水耕栽培用パネル１０を移動させる際には、一端の水耕栽培用パネル１０を引っ張ることにより、あるいは押すことにより、連結されている複数の水耕栽培用パネルを同時に移動させることができる。
【００３９】
このように、本発明の水耕栽培用パネルは、培養液に光が当たるのを妨いで藻を生じ難くでき、さらには一度に複数の水耕栽培用パネルを移動させ易い効果がある。さらに、本発明の水耕栽培用パネルは、プラスチックシートからなる上側シートと下側シートの貼り合わせ体で構成されているため、発泡スチロール板と較べて表面の清掃が容易であり、かつ表面に白い粉を生じず衛生的であり、使用可能期間を長くできるという効果がある。
【符号の説明】
【００４０】
１０  水耕栽培用パネル
１２  水耕栽培用パネルの周縁のフランジ部
１３  水耕栽培用パネルの植え付け孔部
１２１、１２２  水耕栽培用パネルの長さ方向両側のフランジ部
１２３、１２４  水耕栽培用パネルの幅方向両側のフランジ部
１５１、１５２  水耕栽培用パネルの連結部
２１  上側シート
２２  上側シートの周縁の貼り合わせ用部分
２３  上側シートの植え付け孔
２５１  上側シート側連結用孔
３１  下側シート
３２  下側シート側フランジ部
３３  下側シートの凹部
３４  下側シートの凹部の底面
３５  下側シートの凹部の筒状部
３５１  下側シートの凹部の筒状部上端の環状部
３６１  下側シート側連結用孔
Ｐ  植物
【図１】
2016010324.tif 000003
【図２】
2016010324.tif 000004
【図３】
2016010324.tif 000005
【図４】
2016010324.tif 000006
【図５】
2016010324.tif 000007
【図６】
2016010324.tif 000008